(57)【要約】【課題】照明器具の防虫構造の組立を容易にする。【解決手段】照明器具用グローブは、照明器具本体２に設けられたＬＥＤ３を覆うカバー部５１と、カバー部５１から照明器具本体２側に延び、ＬＥＤ３の周囲を取り囲むように配置された、壁状のカバー取付部６と、カバー取付部６の先端に配置されたパッキン７とを備える。カバー取付部６は、ＬＥＤ３側の面と反対の面の、支持部の先端から所定の距離に段差が形成される。パッキン７は、段差からカバー取付部６の先端までの長さよりも大きい幅のベルトの形状に形成される。パッキン７はベルトの短手方向の一端が段差に接するように配置される。【選択図】図２
2014157701.tif 000002
【特許請求の範囲】
【請求項１】
照明器具本体に設けられた光源を覆うカバーと、
前記カバーから前記照明器具本体側に延び、前記光源の周囲を取り囲むように配置された、壁状の支持部と、
前記支持部の先端に配置されたパッキンと、
を備え、
前記支持部は、前記光源側の面と反対の面の、前記支持部の先端から所定の距離に段差が形成され、
前記パッキンは、前記段差から前記支持部の先端までの長さよりも大きい幅を有するベルトの形状に形成され、該ベルトの短手方向の一端が前記段差に接するように配置される、
ことを特徴とする照明器具用グローブ。
【請求項２】
前記パッキンは、
弾性を有する弾性層と、
粘着剤および前記ベルトの長手方向の伸張を抑制する部材で構成される粘着層と、
を有することを特徴とする請求項１に記載の照明器具用グローブ。
【請求項３】
前記パッキンは、断熱性を有する材料で形成されたことを特徴とする請求項１または２に記載の照明器具用グローブ。
【請求項４】
前記段差は、前記パッキンの厚みよりも小さいことを特徴とする請求項１ないし３のいずれか１項に記載の照明器具用グローブ。
【請求項５】
光源が設けられた照明器具本体と、
請求項１ないし４のいずれか１項に記載の照明器具用グローブと、
を備え、
前記照明器具本体は、前記照明器具用グローブと接続され、
前記照明器具用グローブのパッキンは、前記照明器具本体と前記照明器具用グローブの支持部に形成された段差との間で圧縮され、前記照明器具本体に接する、
ことを特徴とする照明器具。
【請求項６】
前記照明器具用グローブの段差における、前記支持部の先端から所定の距離は、力が加わっていないときの前記パッキンの幅よりも小さいことを特徴とする請求項５に記載の照明器具。
【請求項７】
前記照明器具本体は、前記支持部と固定手段により接続され、前記照明器具用グローブと前記光源を密閉することを特徴とする請求項５または６に記載の照明器具。
【発明の詳細な説明】
【技術分野】
【０００１】
本発明は、器具内部に虫が進入することを防止された照明器具用グローブおよび照明器具に関する。
【背景技術】
【０００２】
照明器具本体とグローブとで構成される照明器具（例えば、シーリングライト）は、照明器具本体とグローブとの間に隙間があると、その隙間から器具内部に虫が進入することがある。器具内部に進入した虫が器具内部で死んで死骸になると、その影が外観や光量を低下させる要因となる。このため、このような照明器具には、隙間から虫が進入しないように防虫対策を施したものが開発されている。
【０００３】
例えば、特許文献１には、器具本体と器具本体の下面側に回転引掛け式に着脱自在に装着されるグローブとを備え、グローブの周囲に外向きの鍔部を設け、この鍔部にパッキンが配置された天井用照明器具が記載されている。
【０００４】
この天井用照明器具は、ランプ（蛍光灯）交換の際に、透光カバーがスムースに回転するように、器具本体と透光カバーとの間に隙間（あそび）が設けられ、この隙間において鍔部に配置されたパッキンが器具本体に当接する。パッキンは基部と基部に植毛された毛様部とで構成された柔軟体であるので、グローブが回転引掛け式に着脱されるときに、毛並みが一様に傾斜する。このため、透光カバーがスムースに回転することが可能である。またパッキンが隙間を塞ぐので、器具内部に虫が進入することを防止することが可能である。
【０００５】
このように、照明器具には、防虫対策として照明器具本体とグローブとの間にパッキンを配置したものがある。
【先行技術文献】
【特許文献】
【０００６】
【特許文献１】特開２００６−０２４５３８号公報
【発明の概要】
【発明が解決しようとする課題】
【０００７】
しかしながら、照明器具には、防虫用のパッキンをグローブに正確に配置することが難しく、その組立が容易でないものがある。例えば、防虫用のパッキンが柔軟体であるため、環状のパッキンをグローブに貼り付けるときに、その形が変形したり、その位置がずれたりすることがある。このため、グローブの組立作業が容易でないものがあった。
【０００８】
本発明は、上記事情に鑑みてなされたものであり、照明器具の防虫構造の組立を容易にすることを目的とする。
【課題を解決するための手段】
【０００９】
本発明に係る照明器具用グローブは、
照明器具本体に設けられた光源を覆うカバーと、
前記カバーから前記照明器具本体側に延び、前記光源の周囲を取り囲むように配置された、壁状の支持部と、
前記支持部の先端に配置されたパッキンと、
を備え、
前記支持部は、前記光源側の面と反対の面の、前記支持部の先端から所定の距離に段差が形成され、
前記パッキンは、前記段差から前記支持部の先端までの長さよりも大きい幅を有するベルトの形状に形成され、該ベルトの短手方向の一端が前記段差に接するように配置される、
ことを特徴とする。
【発明の効果】
【００１０】
本発明によれば、照明器具の防虫構造の組立を容易にすることができる。
【図面の簡単な説明】
【００１１】
【図１】本発明の実施の形態に係る照明器具の分解斜視図である。
【図２】実施の形態に係る照明器具の断面図である。
【図３】実施の形態に係るグローブの斜視図である。
【図４】実施の形態に係るグローブのパッキン部分を拡大した断面図である。
【図５】グローブと照明器具本体が組み立てられた状態におけるパッキン部分を拡大した断面図である。
【図６】パッキンの構成を示す断面図である。
【図７】変形例のグローブにおけるパッキン部分を拡大した断面図である。
【発明を実施するための形態】
【００１２】
以下、本発明を実施するための形態について図面を参照して詳細に説明する。なお図中、同一または同等の部分には同一の符号を付す。
【００１３】
（実施の形態）
図１は、実施の形態に係る照明器具の分解斜視図である。図１に示すように、本実施の形態に係る照明器具１は、グローブ５と、照明器具本体２とを備えている。
【００１４】
グローブ５は透光性の樹脂材料（例えば、アクリル樹脂）により中空の半球状に形成された光源カバーである。グローブ５は、照明器具本体２の光源が設けられた面側に、光源を覆うように配置される。グローブ５は例えば射出成形で形成される。
【００１５】
グローブ５は中央に開口部が設けられ、この開口部にアダプタが収容される。照明器具本体２にも同様の筐体開口部２６が形成され、これらの開口部内で、アダプタはグローブ５および照明器具本体２を保持する。アダプタは建物の天井等の設置箇所に設けられた引掛シーリング（または引掛ローゼット等）に嵌め込まれる。これにより、グローブ５および照明器具本体２は設置箇所に固定される。
【００１６】
照明器具本体２は、光源と光源を点灯させる電源回路等を収容している。照明器具本体２の具体的な構成を以下に説明する。
【００１７】
図２は、実施の形態に係る照明器具の断面図である。照明器具本体２は、ＬＥＤ（Light Emitting Diode）３と、基板３１と、電源回路４と、筐体２０とで構成されている。
【００１８】
ＬＥＤ３は、白色ＬＥＤまたは赤色、青色、緑色の各色のＬＥＤである。照明器具１には、複数のＬＥＤが使用され、これらのＬＥＤが組み合わされて基板３１上に実装されている。
【００１９】
基板３１は、平面台形形状に形成され、一方の面にＬＥＤ３がほぼ均一な分布で配置されている。基板３１は、照明器具本体２中央の筐体開口部２６を囲むように配置され、複数の基板３１が環状の構造物を形成するように並べられている。これにより、照明器具１は環状に分布した光源を備える。
【００２０】
電源回路４は、ＬＥＤ３に印加する電圧を制御し、ＬＥＤ３の点灯を制御する回路である。電源回路４は、複数のＬＥＤ３の点灯を制御することにより、照明器具１の調光、調色を行う。また、電源回路４はリモコン受信ユニットと接続され、リモコン送信機のスイッチに応じて点灯、消灯を行う。
【００２１】
筐体２０は、板状部材（例えば、板金）により形成され、基板３１および電源回路４等を収納している。筐体２０は、本体部２５と、筐体開口部２６と、基板支持部２１と、筐体周縁部２２とにより構成される。
【００２２】
本体部２５は、皿形状に形成され、その内部に電源回路４や常夜灯ユニット、リモコン受信ユニット等（図示せず）を収納している。
【００２３】
筐体開口部２６は、筐体２０の中央部に円筒状に形成され、その内部にアダプタを収納している。アダプタは、引掛シーリングに接続され、引掛シーリングから電源の供給を受ける。筐体開口部２６の近傍には電源回路４が配置され、電源回路４はアダプタから延びる配線のコネクタに接続され、アダプタを介して電源の供給を受ける。
【００２４】
基板支持部２１は、円盤状に形成され、その円盤が中央にある筐体開口部２６を取り囲むように配置されている。基板支持部２１は、円盤の一方の面で基板３１およびグローブ５を支持する。その面は、白色等の、光を反射する色に塗装され、ＬＥＤ３の発する光を反射、散乱するように構成される。また、基板支持部２１は、ＬＥＤ３が点灯したときの熱を放熱するため、基板３１の背面に空間を有するように形成される。
【００２５】
筐体周縁部２２は、基板支持部２１の端部に形成され、基板支持部２１がグローブ５と接続される部分を覆っている。すなわち、筐体周縁部２２は、ＬＥＤ３の配置された面側に、基板支持部２１が折り返されて形成され、この折り返しの内側に、グローブ５の端部を収容している。グローブ５の端部は、基板支持部２１に形成されたネジ穴２８を介してネジ止めされて筐体２０に固定される。以下、グローブ５の構成について説明する。
【００２６】
図３は、実施の形態に係るグローブの斜視図である。グローブ５は、カバー開口部５６と、カバー部５１と、カバー取付部６と、外縁部５２とで構成される。
【００２７】
カバー開口部５６は、筐体開口部２６と重なり合う位置に配置され、筐体開口部２６と連結しアダプタを収納している。
【００２８】
カバー部５１は、円盤状に形成され、ＬＥＤ３を遮蔽して保護している。例えば、カバー部５１は、中央に形成されたカバー開口部５６から周辺に向かって傘状に延び、ＬＥＤ３を覆うように形成されている。カバー部５１の端部は屈曲し、その屈曲部の近傍で外縁部５２とカバー取付部６とに分岐している。
【００２９】
外縁部５２は、カバー部５１の端部から外側に向かって庇状に延びるように形成されている。外縁部５２は、図２に示すように、カバー取付部６および筐体周縁部２２を覆い、照明器具１の外観を向上させる。外縁部５２はカバー部５１と同じ材料で一体的に形成される。
【００３０】
カバー取付部６は、筒状に形成されて、カバー部５１と筐体２０との間を塞ぎ、ＬＥＤ３を外界から隔離している。例えば、カバー取付部６は、図３に示すように、カバー部５１の周縁から基板支持部２１の面に対して略垂直方向に延びる円筒形状の壁面で構成され、その円筒は、基板３１を内側に含むような直径に形成されている。カバー取付部６には、等間隔に雌ねじ６１が配置され、この雌ねじ６１が基板支持部２１のネジ穴２８に配置される雄ねじによりネジ止めされる。これにより、カバー取付部６が基板支持部２１に固定される。カバー取付部６は、その先端にパッキン７が配置されている。
【００３１】
図４は、実施の形態に係るグローブのパッキン部分を拡大した断面図である。カバー取付部６は、その先端から距離Ａの位置に段差部６５が形成され、段差部６５から先端にパッキン７が配置されている。
【００３２】
段差部６５は、カバー取付部６の外縁部５２側の面に（すなわち、グローブ５外側方向に面する側面に）、大きさＤの段差を有するように形成されている。段差部６５は、パッキン７をカバー取付部６に配置するときの、パッキン７の位置決め構造として使用される。このため、段差の大きさＤは、パッキン７のエッジがひっかかる程度の大きさである。例えば、パッキン７の厚みＣが約６〜８ｍｍである場合、段差の大きさＤは、約１〜２ｍｍである。
【００３３】
パッキン７は、断面略長方形形状に形成されている。パッキン７の厚みＣは、段差の大きさＤよりも大きく、パッキンの幅Ｂは、カバー取付部６の先端から段差部６５までの長さＡよりも大きく形成される。すなわち、パッキン７は、段差から出っ張るような大きさに形成される。例えば、カバー取付部６の先端から段差部６５までの長さＡが約８ｍｍである場合に、パッキン７の幅Ｂが約１０ｍｍに形成される。これにより、パッキン７が段差部６５に配置されたときにその一部が基板支持部２１に接触し密着する。
【００３４】
図５は、グローブと照明器具本体が組み立てられた状態におけるパッキン部分を拡大した断面図である。図５に示すように、カバー取付部６の先端が基板支持部２１の面に固定されると、パッキン７は、基板支持部２１に押しつけられて圧縮され、その先端は変形して基板支持部２１に密着する。このため、カバー取付部６と基板支持部２１との間に隙間が無くなり、虫の進入を防止することが可能である。
【００３５】
パッキン７は、筐体周縁部２２との間に隙間が設けられるように配置されている。このため、パッキン７の先端が圧縮されて変形しても、筐体周縁部２２と接触することがなく、筐体周縁部２２に余計な圧力が加わらない。従って、パッキン７を基板支持部２１の面に均一に密着させることが可能である。パッキン７は、段差部６５に接着によって固定されている。
【００３６】
図６は、パッキンの構成を示す断面図である。パッキン７は、発泡体部７１と粘着材部７２とで構成されている。
【００３７】
発泡体部７１は、ポリスチレン、ポリオレフィン等の合成樹脂中にガスが分散されて形成された発泡体で構成されている。発泡体には、例えば、耐熱性が高い、ポリウレタンフォームが用いられる。発泡体部７１は、圧縮変形されることにより隙間を塞ぐとともに、基板支持部２１を介して伝わるＬＥＤ３からの熱伝達を緩和する。発泡体部７１は断面長方形のテープ状に形成される。
【００３８】
粘着材部７２は、基材を構成する不織布と、基材の両面に塗布された粘着材とで構成される。粘着材の基材の一方の面は発泡体部７１に接着され、もう一方の面は段差部６５に接着される。粘着材は、例えば、耐熱性のあるアクリル系粘着材である。
【００３９】
不織布は、パッキン７が引っ張られたときの伸びを抑制する。これにより、パッキン７を接着するときにパッキン７が伸びるのが防止される。照明器具１は、以下のように組み立てられる。
【００４０】
まず、所定の形状に成型されたグローブ５と、プレス等の塑性加工により成形された筐体２０とを用意する。筐体２０には基板３１等を組み込む。
【００４１】
次いで、所定の長さに切断したパッキン７をカバー取付部６の外周に巻き付けるようにして配置し、パッキン７を段差部６５に接着する。
【００４２】
このとき、パッキン７の接着する位置は、パッキン７のエッジを段差部６５の段差に当てることにより決められる。段差を利用することによりパッキン７を容易に配置することができるので、製造作業が容易である。また、パッキン７を円筒状のカバー取付部６の外周に巻き付けるように配置することができるので、例えば、内周や先端に配置する場合と比較して製造作業が容易である。
【００４３】
パッキン７をカバー取付部６に巻き付けるとき、パッキン７は不織布を含んでいるため、パッキン７を引っ張るようにして巻き付けることが可能である。パッキン７は延びにくいので、パッキン７の長さが変化して末端が重複するような不具合も生じにくい。
【００４４】
次いで、グローブ５を筐体２０に固定する。グローブ５と筐体２０の固定は、ネジ止めにより行う。これにより照明器具１が組み立てられる。
【００４５】
以上のように、照明器具１は、パッキン７が接着されたグローブ５が筐体２０にネジ止めされて組み立てられ、グローブ５と筐体２０との間に配置されたパッキン７が圧縮変形して、グローブ５の基板支持部２１に密着する。このため、筐体２０とグローブ５との間の空間が密閉され虫等の進入を防止することが可能である。
【００４６】
また、照明器具１は、グローブ５と筐体２０との間に発泡体で構成されるパッキン７が配置されているので、筐体２０に収納されるＬＥＤ３の熱がグローブ５に伝わりにくい。
【００４７】
以上、本発明の実施の形態について説明したが、本発明の実施の形態に係る照明器具、グローブは、様々な変形が可能である。
【００４８】
例えば、上記の実施の形態では、グローブ５がカバー取付部６を有し、カバー取付部６に段差部６５が形成されていたが、本発明は、グローブ５のカバー部５１末端に段差部６５が形成される形態にも適用可能である。
【００４９】
図７は変形例のグローブにおけるパッキン部分を拡大した断面図である。図７に示すように、変形例のグローブ５は、傘状のカバー部５１が周縁で筐体２０側に向かって屈曲し、その先端に段差部５５が形成されている。段差部５５は、上記の実施の形態の段差部６５と同じ形状であり、段差部６５と同様に、その表面にパッキン７が配置されている。このように、本発明は、カバー部５１とカバー取付部６とが別々に形成された形態に限定されるものではなく、カバー部５１それ自体の先端がカバー取付部６を構成し、その部分に段差部５５が形成された形態であってもよい。
【００５０】
上記実施の形態では発明の理解を容易にするため、グローブ５と光源との間に光学部品が設置されない形態を用いて説明したが、本発明は、グローブ５と光源との間に光学部品が設置される形態にも適用可能である。例えば、本発明は、図７に示すように、ＬＥＤ３の上に拡散板３５が配置される形態であってもよいし、光学部品として、レンズが設置されてもよい。
【００５１】
また、上記実施の形態では、グローブ５が半球状である形態を説明したが、グローブ５の形状は、半球状に限定されない。例えば、和風照明器具のように、直方体形状であってもよいし、断面楕円形状であってもよい。上記実施の形態では、グローブ５にアダプタを収容する開口部が形成されていたが、このような開口部を有さないグローブ５であってもよい。
【００５２】
カバー取付部６についても上記の実施の形態の形状に限定されない。上記実施の形態では、カバー取付部６が円筒形状に形成されている形態を説明したが、カバー取付部６の形状は円筒形状に限定されない。例えば、カバー取付部６は基板３１を内側に含むような大きさの立方体形状の壁面構造であってもよい。また断面多角形の壁面構造であってもよい。カバー取付部６は、ＬＥＤ３の周囲を取り囲むように配置された形状であればよい。
【００５３】
上記実施の形態は、カバー取付部６（すなわちグローブ５の段差部６５）が射出成形で作製される形態を説明したが、カバー取付部６の製法はこれに限定されない。例えば、圧空成形によりカバー取付部６が形成されてもよい。
【００５４】
射出成形の場合、ヒケ（成形収縮によって生じる窪み）が生じないようにするために、カバー取付部６と段差部６５の厚みは薄いほうがよい。このため、段差部６５の段差も小さいほうがよく、例えば、段差部６５の段差は、パッキン７の厚みよりも小さい。好ましくは、段差はパッキン７のエッジが引っかかる程度の大きさである。
【００５５】
一方、射出成形以外の製法の場合、このような大きさに限定されない。例えば、段差部６５の段差がパッキン７の厚さと同じ大きさであってもよく、パッキン７の厚さよりも大きくてもよい。
【００５６】
上記実施の形態では、光源がＬＥＤ３であるため、ランプ交換が前提とされていない。このため、上記実施の形態では、グローブ５は照明器具本体２にネジ止めされ、完全に密閉された形態を説明した。しかし、本発明は、このような固定手段に限定されない。固定手段は、パッキン７を圧縮変形させ、照明器具本体２に密着させる手段であれば特に限定されない。例えば、グローブ５と照明器具本体２とがリベットにより固定されてもよい。
【００５７】
上記の実施形態の一部又は全部は、以下の付記のようにも記載されうるが、以下には限られない。
【００５８】
（付記１）
照明器具本体に設けられた光源を覆うカバーと、
前記カバーから前記照明器具本体側に延び、前記光源の周囲を取り囲むように配置された、壁状の支持部と、
前記支持部の先端に配置されたパッキンと、
を備え、
前記支持部は、前記光源側の面と反対の面の、前記支持部の先端から所定の距離に段差が形成され、
前記パッキンは、前記段差から前記支持部の先端までの長さよりも大きい幅を有するベルトの形状に形成され、該ベルトの短手方向の一端が前記段差に接するように配置される、
ことを特徴とする照明器具用グローブ。
【００５９】
（付記２）
前記パッキンは、
弾性を有する弾性層と、
粘着剤および前記ベルトの長手方向の伸張を抑制する部材で構成される粘着層と、
を有することを特徴とする付記１に記載の照明器具用グローブ。
【００６０】
（付記３）
前記パッキンは、断熱性を有する材料で形成されたことを特徴とする付記１または２に記載の照明器具用グローブ。
【００６１】
（付記４）
前記段差は、前記パッキンの厚みよりも小さいことを特徴とする付記１ないし３のいずれかに記載の照明器具用グローブ。
【００６２】
（付記５）
光源が設けられた照明器具本体と、
付記１ないし４のいずれかに記載の照明器具用グローブと、
を備え、
前記照明器具本体は、前記照明器具用グローブと接続され、
前記照明器具用グローブのパッキンは、前記照明器具本体と前記照明器具用グローブの支持部に形成された段差との間で圧縮され、前記照明器具本体に接することを特徴とする照明器具。
【００６３】
（付記６）
前記照明器具用グローブの段差における、前記支持部の先端から所定の距離は、力が加わっていないときの前記パッキンの幅よりも小さいことを特徴とする付記５に記載の照明器具。
【００６４】
（付記７）
前記照明器具本体は、前記支持部と固定手段により接続され、前記照明器具用グローブと前記光源を密閉することを特徴とする付記５または６に記載の照明器具。
【符号の説明】
【００６５】
１    照明器具
２    照明器具本体
２０  筐体
２１  基板支持部
２２  筐体周縁部
２５  本体部
２６  筐体開口部
２８  ネジ穴
３    ＬＥＤ
３１  基板
３５  拡散板
４    電源回路
５    グローブ
５１  カバー部
５２  外縁部
５５  段差部
５６  カバー開口部
６    カバー取付部
６１  雌ねじ
６５  段差部
７    パッキン
７１  発泡体部
７２  粘着材部
【図１】
2014157701.tif 000003
【図２】
2014157701.tif 000004
【図３】
2014157701.tif 000005
【図４】
2014157701.tif 000006
【図５】
2014157701.tif 000007
【図６】
2014157701.tif 000008
【図７】
2014157701.tif 000009